(57)【要約】【課題】基板と導光部との間のガタを低減し、光源と導光部との位置決め精度を向上する。【解決手段】複数のＬＥＤ６２（光源）が長手方向に配置されたＬＥＤ基板６０（基板）と、ＬＥＤ基板６０を保持するスロット部７６（保持部）を有し複数のＬＥＤ６２から出射された光を案内するライトガイド７０（導光部）と、ライトガイド７０を支持するベース部８０（支持部）と、ＬＥＤ基板６０をスロット部７６に向けて長手方向に交差する方向に付勢する基板付勢部９０（付勢部）と、ライトガイド７０から出射された光を受けたシートの反射光を光電変換して画像情報を読み取るＣＣＤ（画像読取部）と、を備える。【選択図】図９
2018033010.tif 000002
【特許請求の範囲】
【請求項１】
複数の光源が長手方向に配置された基板と、
前記基板を保持する保持部を有し、前記複数の光源から出射された光を案内する導光部と、
前記導光部を支持する支持部と、
前記基板を前記保持部に向けて前記長手方向に交差する方向に付勢する付勢部と、
前記導光部から出射された光を受けたシートの反射光を光電変換して画像情報を読み取る画像読取部と、を備えた、
ことを特徴とする画像読取装置。
【請求項２】
前記付勢部は、前記支持部に一体に設けられる、
ことを特徴とする請求項１に記載の画像読取装置。
【請求項３】
前記付勢部は、前記導光部に一体に設けられる、
ことを特徴とする請求項１に記載の画像読取装置。
【請求項４】
前記導光部は、前記複数の光源から出射された光が入射する入射面を有し、
前記付勢部は、前記複数の光源が前記入射面に当接するように前記基板を付勢する、
ことを特徴とする請求項１乃至３のいずれか１項に記載の画像読取装置。
【請求項５】
前記基板は、前記付勢部の付勢方向に対して凹んだ凹部を有し、
前記保持部は、前記凹部に係合することで前記基板の前記長手方向における移動を規制する、
ことを特徴とする請求項１乃至４のいずれか１項に記載の画像読取装置。
【請求項６】
前記保持部は、前記基板の厚み方向において前記基板を圧入された状態で挟持する、
ことを特徴とする請求項１乃至５のいずれか１項に記載の画像読取装置。
【請求項７】
前記保持部は、前記付勢部の付勢方向に対して開放された断面形状を有する、
ことを特徴とする請求項６に記載の画像読取装置。
【請求項８】
請求項１乃至７のいずれか１項に記載の画像読取装置と、
シートに画像を形成する画像形成部と、を備えた、
ことを特徴とする画像形成装置。
【発明の詳細な説明】
【技術分野】
【０００１】
本発明は、シートの画像を読み取る画像読取装置及びこれを備える画像形成装置に関する。
【背景技術】
【０００２】
一般に、複写機やファクシミリ等の画像形成装置は、原稿の画像を光学的に読み取る画像読取装置を備えている。この画像読取装置においては、原稿を照明するために、複数のＬＥＤ（点光源）を直線状に配列した照明装置を備えたものが知られている。複数のＬＥＤを光源とした場合、原稿面におけるＬＥＤ配列方向の照度分布ムラの発生を抑制するため、照明装置は、原稿面とＬＥＤとの間に、透明樹脂やガラス等からなる導光部材を備えている。この導光部材は、複数のＬＥＤから出射されて円形に拡散する光を、原稿面に向けて原稿読取時の主走査方向（ＬＥＤ配列方向）に沿って導光する。
【０００３】
ここで、複数のＬＥＤと導光部材との位置関係においてズレが生じると、原稿面を主走査方向に沿って均等に照明することが困難になるという課題がある。即ち、導光部材の入射面とＬＥＤ配列方向とが平行でないために導光部材の入射面とＬＥＤとの間隔が主走査方向の両端で異なることがある。この場合、ＬＥＤから出射される光は円錐状に拡散するので、入射面とＬＥＤとの間隔が小さい部分では、導光部材に入射される光の光量が多く、間隔が大きい部分では光量が少なくなるという光照射強度のムラが生じるおそれがある。
【０００４】
また、導光部材の入射面とＬＥＤ配列方向とが平行であっても、ＬＥＤと導光部材の入射面との間隔が広すぎると、ＬＥＤから出射され導光部材に入射される光の光量が少なくなり、原稿面での照度が不足するおそれがある。従って、ＬＥＤのように比較的光照射強度が小さい光源を用いる場合、その光源から照射された光をなるべく多く導光部材へ入射させ、さらに、主走査方向における光照射強度のムラも抑えることが望まれる。この要望に応えるためには、光源部と導光部材との相対的な位置決めに高い精度が要求される。
【０００５】
従来、導光部材に対して光源部を固定ネジによって固定し、導光部材と光源部とを位置決めする画像読取装置が提案されている（特許文献１参照）。また、発光素子を有する回路基板を台板に対してビス等によって取り付け、台板に係止された弾性板によって導光部材を台板に対して位置決めした画像読取装置が提案されている（特許文献２参照）。
【先行技術文献】
【特許文献】
【０００６】
【特許文献１】特開２０１０−１７８３５４号公報
【特許文献２】特開２０１２−１２９９７４号公報
【発明の概要】
【発明が解決しようとする課題】
【０００７】
しかしながら、上記特許文献１に記載の画像読取装置は、導光部材と光源部とを固定ネジによって位置決めしているため、振動等によって固定ネジが緩んでしまうと導光部材と固定ネジとの位置決め精度が低下してしまう。また、上記特許文献２に記載の画像読取装置は、発光素子と台板、台板と導光部材とをそれぞれ位置決めしているため、発光素子と導光部材との間に台板が介在する。このため、台板の寸法公差や部材の取付位置精度等の影響を受けやすく、発光素子と導光部材との位置決め精度に問題がある。
【０００８】
そこで、本発明は、基板と導光部との間のガタを低減し、光源と導光部との位置決め精度を向上した画像読取装置及びこれを備えた画像形成装置を提供することを目的とする。
【課題を解決するための手段】
【０００９】
本発明は、画像読取装置において、複数の光源が長手方向に配置された基板と、前記基板を保持する保持部を有し、前記複数の光源から出射された光を案内する導光部と、前記導光部を支持する支持部と、前記基板を前記保持部に向けて前記長手方向に交差する方向に付勢する付勢部と、前記導光部から出射された光を受けたシートの反射光を光電変換して画像情報を読み取る画像読取部と、を備えた、ことを特徴とする。
【発明の効果】
【００１０】
本発明によると、複数の光源が配置された基板を保持する保持部に向けて基板を付勢するので、基板と導光部との間のガタを低減し、光源と導光部との位置決め精度を向上することができる。
【図面の簡単な説明】
【００１１】
【図１】第１の実施の形態に係るプリンタを示す全体概略図。
【図２】読取ユニットを示す断面図。
【図３】スキャナユニットを示す断面図。
【図４】照明ユニットを示す斜視図。
【図５】（ａ）はライトガイドユニットを上方から視た分解斜視図、（ｂ）はライトガイドユニットを下方から視た分解斜視図。
【図６】ベース部を示す斜視図及び拡大斜視図。
【図７】（ａ）はライトガイドユニットを上方から視た斜視図、（ｂ）はライトガイドユニットを下方から視た斜視図。
【図８】（ａ）はＬＥＤ基板をライトガイドに組み付ける様子を示す底面図、（ｂ）はスロット部にＬＥＤ基板が挟持されたことを示す正面図及び拡大正面図。
【図９】基板付勢部を示す模式図。
【図１０】第２の実施の形態に係るライトガイドを示す斜視図。
【図１１】基板付勢部を示す模式図。
【発明を実施するための形態】
【００１２】
＜第１の実施の形態＞
以下、本発明に係る画像読取装置及び画像形成装置について、図面を参照しながら説明する。以下の実施形態に記載されている構成部品の寸法、材質、形状、その相対配置などは、特に特定的な記載がない限りは、本技術の適用範囲をそれらのみに限定する趣旨のものではない。
【００１３】
［プリンタの概略構成］
まず、画像形成装置としてのプリンタ１０１の概略構成について図１を参照しながら説明する。プリンタ１０１は、図１に示すように、プリンタ本体１０１Ａと、画像読取装置１０３と、を備えている。プリンタ本体１０１Ａの上方に配置された画像読取装置１０３は、詳しくは後述するように読取ユニット３０とＡＤＦ１とを備え、原稿Ｄを光学的に走査して画像情報を読み取る。原稿Ｄとは、用紙及び封筒等の紙、オーバーヘッドプロジェクタ用シート（ＯＨＴ）等のプラスチックフィルム、布などのシートである。画像読取装置１０３によって電気信号に変換された画像情報は、プリンタ本体１０１Ａに設けられた制御部１２２へと転送される。なお、本実施の形態において、プリンタ１０１を操作する操作パネル（不図示）に臨んで立つ際の装置の前面側を手前側、装置の背面側を奥側と定義する。
【００１４】
プリンタ本体１０１Ａは、記録媒体であるシートＰに画像を形成する画像形成部１１９と、画像形成部１１９にシートＰを給送するシート給送部３４と、手差し給送部１１７と、を有している。シート給送部３４は、互いに異なるサイズのシートを収納可能なシート収納部１３７ａ，１３７ｂ，１３７ｃ，１３７ｄを備えている。各シート収納部に収納されたシートは、ピックアップローラ３２によって繰り出され、フィードローラ３３ａ及びリタードローラ３３ｂによって１枚ずつ分離されて、対応する搬送ローラ対１２０へと受け渡される。そして、シートＰは、シート搬送路に沿って配置された複数の搬送ローラ対１２０に順に受け渡されることで、レジストレーションローラ対１３６へと搬送される。
【００１５】
なお、ユーザによって手差し給送部１１７の手差しトレイ１３７ｅに載置されたシートＰは、給送ローラ１３８によってプリンタ本体１０１Ａの内部に給送され、レジストレーションローラ対１３６へと搬送される。レジストレーションローラ対１３６は、シートＰの先端を停止させて斜行を補正すると共に、画像形成部１１９によるトナー像の形成プロセスである作像動作の進行に合わせてシートＰの搬送を再開する。
【００１６】
シートＰに画像を形成する画像形成部１１９は、感光体である感光ドラム１２１を備えた電子写真方式のユニットである。感光ドラム１２１は、シートＰの搬送方向に沿って回転可能であり、感光ドラム１２１の周囲には帯電器１１８、露光装置１２３、現像器１２４、転写帯電器１２５、分離帯電器１２６、及びクリーナ１２７が配置されている。帯電器１１８は感光ドラム１２１の表面を一様に帯電させ、露光装置１２３は画像読取装置１０３等から入力される画像情報に基づいて感光ドラム１２１を露光し、感光ドラム１２１上に静電潜像を形成する。
【００１７】
現像器１２４は、トナー及びキャリアを含む二成分現像剤を収容しており、感光ドラム１２１に帯電したトナーを供給することで静電潜像をトナー像に現像する。感光ドラム１２１に担持されたトナー像は、転写帯電器１２５が形成するバイアス電界により、レジストレーションローラ対１３６から搬送されるシートＰに転写される。トナー像を転写されたシートＰは、分離帯電器が形成するバイアス電界によって感光ドラム１２１から離間し、定着前搬送部１２８によって定着部１２９へ向けて搬送される。なお、シートＰに転写されずに感光ドラム１２１に残留した転写残トナー等の付着物はクリーナ１２７によって除去され、感光ドラム１２１は次の作像動作に備える。
【００１８】
定着部１２９に搬送されたシートＰは、ローラ対に挟持されて加圧されながら加熱され、トナーの溶融・固着により画像を定着させられる。画像出力が完了している場合、定着画像が得られたシートＰは、排出ローラ対４０を介して、プリンタ本体１０１Ａの外方に突出した排出トレイ１３０に排出される。両面印刷においてシートＰの裏面に画像を形成する場合、定着部１２９を通過したシートＰは、反転部１３９によって表面と裏面とを入れ替えられ、両面搬送部１４０によってレジストレーションローラ対１３６へと搬送される。そして、画像形成部１１９によって再び画像を形成されたシートＰは、排出トレイ１３０に排出される。
【００１９】
［画像読取装置］
次に、図１、図２及び図３を参照して、画像読取装置１０３の構成を説明する。図１に示すように、ＡＤＦ１は、原稿給送トレイ２に載置された原稿Ｄを原稿排出トレイ３に向けて搬送する。読取ユニット３０は、図２に示すように、フレーム３０ａによって外装が形成され、フレーム３０ａの上面には、原稿台ガラス３１及びプラテンガラス３１ａが配置されている。フレーム３０ａの内部には、スキャナユニット５０が保持されており、スキャナユニット５０は、モータによって駆動される不図示のワイヤ又はベルトによって、原稿台ガラス３１に対して平行に移動可能に構成されている。
【００２０】
スキャナユニット５０は、図３に示すように、ＣＣＤ（Ｃｈａｒｇｅ  Ｃｏｕｐｌｅｄ  Ｄｅｖｉｃｅｓ）方式のセンサユニットである。具体的には、スキャナユニット５０は、ボックスフレーム５１と、ボックスフレーム５１の上部に取り付けられる照明ユニット５５と、ミラー５２ａ，５２ｂ，５２ｃ、５２ｄ、５２ｅと、レンズユニット５３と、ＣＣＤ５４と、を有している。
【００２１】
照明ユニット５５は、２つのライトガイドユニット５６Ｌ，５６Ｒを有しており、これらライトガイドユニット５６Ｌ，５６Ｒからそれぞれ原稿Ｄに向けて出射された光Ｌ１，Ｌ２は、原稿Ｄによって反射される。原稿Ｄによって反射された反射光Ｌ３は、ミラー５２ａ，５２ｂ，５２ｃ、５２ｄ、５２ｅ及びレンズユニット５３を介して、ＣＣＤ５４に結像する。ＣＣＤ５４（画像読取部）は、反射光Ｌ３によって出来た像を光電変換し、原稿Ｄの画像読取面（下面）の画像に応じた電気信号を制御部１２２に出力する。
【００２２】
このように構成された画像読取装置１０３は、ＡＤＦ１により原稿Ｄを給送しながら原稿画像を走査する流し読みモードと、原稿台ガラス３１に載置された原稿を走査する固定読みモードと、により、原稿Ｄから画像情報を読み取る。流し読みモードは、原稿給送トレイ２に載置された原稿Ｄを装置が検出した場合、又はプリンタ本体１０１Ａの操作パネル等によってユーザが明示的に指示した場合に選択される。この場合、スキャナユニット５０がプラテンガラス３１ａの下方にある状態で、ＡＤＦ１が原稿給送トレイ２に載置された原稿Ｄを１枚ずつ給送する。そして、スキャナユニット５０からプラテンガラス３１ａを介して原稿Ｄの画像読取面に走査光を照射して走査する。即ち、スキャナユニット５０は、副走査方向（図１における左右方向）に走査することで、原稿台ガラス３１上に載置された原稿Ｄの画像読取を行う。
【００２３】
一方、固定読みモードは、原稿台ガラス３１に載置された原稿Ｄを装置が検出した場合又はプリンタ本体１０１Ａの操作パネル等によってユーザが明示的に指示した場合に選択される。固定読みモードの場合には、ユーザは、まずＡＤＦ１を開いて原稿台ガラス３１に原稿を載置し、ＡＤＦ１を閉じることで原稿を原稿台ガラス３１に位置決めする。そして、スキャナユニット５０が、原稿台ガラス３１に沿って移動しながら光を照射して原稿台ガラス３１に載置された原稿Ｄを走査する。なお、流し読みモードを実行するためのスキャナユニットと、固定読みモードを実行するためのスキャナユニットと、を別々に設けてもよい。
【００２４】
[ライトガイドユニットの構成]
照明ユニット５５は、図４に示すように、ライトガイドユニット５６Ｌ，５６Ｒが取り付けられるベース部８０（支持部）を備えている。ライトガイドユニット５６Ｌ，５６Ｒは、同一の構成を有し、副走査方向において対称に配置されている。そして、ライトガイドユニット５６Ｌ，５６Ｒのベース部８０への取付方法は同様であるため、以下、ライトガイドユニット５６Ｒのみを説明し、ライトガイドユニット５６Ｌの説明は省略する。
【００２５】
ライトガイドユニット５６Ｒは、図５（ａ）及び図５（ｂ）に示すように、ライトガイド７０（導光部）と、ＬＥＤ基板６０（基板）と、を備えている。ＬＥＤ基板６０は、基板部６１と、基板部６１上に実装される複数のＬＥＤ６２（光源）と、複数のＬＥＤ６２と電気的に繋げられたコネクタ部６３と、を備えている。ここで、複数のＬＥＤ６２は、基板部６１の長手方向に直線状に実装されて、該実装方向は上述の副走査方向と直交する主走査方向と同一である。また、複数のＬＥＤ６２は、不図示の電気配線によりコネクタ部６３を介して電力供給される。図５（ａ）に示される破線領域内は、基板部６１に含まれる挿入部６１ａである。以下では、スキャナユニット５０の移動方向である副走査方向をｙ方向、主走査方向をｘ方向、これらｘ方向及びｙ方向に直交する上下方向をｚ方向と規定する。
【００２６】
ライトガイド７０は、ｘ方向の両端部に形成されベース部８０に当接する当接部７１ａ，７１ｂと、ＬＥＤ基板６０を保持するスロット部７６，７７，７８（保持部）と、ベース部８０に挿入される位置決めピン部７６ｂ，７８ｂと、を有している。位置決めピン部７６ｂ，７８ｂは、スロット部７６の下面７６ａ及びスロット部７８の下面７８ａからそれぞれ下方に延びている。また、ライトガイド７０は、複数のＬＥＤ６２から照射される光が入射する入射面７４と、入射された光が原稿Ｄの画像読取面へ向かって出射する出射面７５と、を備えている。そして、入射面７４から入射した光は、ライトガイド７０内で複数回反射した後、出射面７５に案内される。
【００２７】
ベース部８０は、図６に示すように、位置決めピン部７８ｂが挿入される丸孔部８１Ｒと、位置決めピン部７６ｂが挿入される長丸孔部８２Ｒと、不図示の工具ピンが挿通される孔部８３ａ，８３ｂ，８３ｃと、を備えている。なお、ベース部８０には、ライトガイドユニット５６Ｌを取り付けるために、同様の孔部がもう１セット形成されている。また、ベース部８０は、原稿Ｄからの反射光Ｌ３をボックスフレーム５１内部へ通すための開口部８４を備えている。
【００２８】
［ＬＥＤ基板のライトガイドユニットへの取付け］
ＬＥＤ基板６０は、図７（ａ）及び図７（ｂ）に示すように、挿入部６１ａ（図５（ａ）参照）がライトガイド７０のスロット部７６，７７，７８に挿入されることによって、ライトガイド７０に保持される。
【００２９】
ここで、基板部６１は、図８（ａ）に示すように、ｘ方向における両端部に切欠き部６４ａ，６４ｃが形成されており、ｘ方向における中央部に切欠き部６４ｂ（凹部）が形成されている。これら切欠き部６４ａ，６４ｂ，６４ｃは、後述する矢印Ａ方向に対して凹んでいる。そして、ＬＥＤ基板６０の挿入部６１ａがスロット部７６，７７，７８に挿入された時、切欠き部６４ｂにスロット部７７がｘ方向において嵌合（係合）する。該嵌合によって、ＬＥＤ基板６０のライトガイド７０に対するｘ方向（主走査方向、長手方向）の変位を規制する。この際、切欠き部６４ａとスロット部７６との間、及び切欠き部６４ｃとスロット部７８との間には、ｘ方向においてこれらが互いに干渉しないための十分な間隔がそれぞれ設けられる。ＬＥＤ６２の点灯による発熱や、外部環境の温度変化に伴う部材の熱膨張によって、ライトガイド７０とＬＥＤ基板６０との間に、熱膨張係数の違いによるｘ方向の変位差が生じることがある。しかしながら、上述の間隔を設けることで、ライトガイド７０とＬＥＤ基板６０との突っ張りに伴う反り、歪みの発生を防止することができる。
【００３０】
更に、図８（ｂ）に示すように、挿入部６１ａがスロット部７６，７７，７８に挿入された時、挿入部６１ａは、スロット部７６，７７，７８に圧入された状態で挟持される。具体的には、スロット部７６，７７，７８は、ｙ方向の一方側が開放された略コ字状の断面形状を有しており、スロット部７６，７７，７８の内方には、それぞれリブ７６ｃ，７７ｃ，７８ｃが形成されている。ＬＥＤ基板６０の挿入部６１ａが、リブ７６ｃ，７７ｃ，７８ｃと、これらに対向する対向面７０ａと、の間に挿入されると、リブ７６ｃ，７７ｃ，７８ｃが弾性変形し、挿入部６１ａは、圧入された状態で挟持される。これにより、ＬＥＤ基板６０のライトガイド７０に対するｚ方向（上下方向）の変位が規制される。また、ＬＥＤ基板６０がスロット部７６，７７，７８に挟持されることによって、ＬＥＤ基板６０が元々有している反りを矯正することが可能である。
【００３１】
［ライトガイドユニットのベース部への取付け］
ライトガイドユニット５６Ｒをベース部８０に取り付ける際には、まず、図６及び図９に示すように、作業者は、位置決めピン部７８ｂを丸孔部８１Ｒに挿入し、位置決めピン部７６ｂを長丸孔部８２Ｒに挿入する。これにより、ライトガイドユニット５６Ｒのベース部８０に対するｘ方向（主走査方向）及びｙ方向（副走査方向）の変位を規制する。
【００３２】
そして、作業者は、ベース部の孔部８３ａ，８３ｂ，８３ｃに、下方から不図示の工具ピンを挿入する。これにより、当接部７１ａ，７１ｂが、ベース部８０の上面８０ａに当接した状態で、スロット部７６，７７，７８の下面７６ａ，７７ａ，７８ａに該工具ピンが当接する。作業者は、下面７６ａ，７７ａ，７８ａが略同一高さになるように、工具ピンの位置を調整した後、工具ピンをベース部８０に固定する。これにより、ライトガイドユニット５６Ｒのｚ方向（上下方向）における位置が決まる。スロット部７６，７７，７８及び工具ピンは、ライトガイド７０のｘ方向における中央部及び両端部それぞれに設けられているため、ライトガイド７０が部品成形時より元々有している反りを矯正することが可能である。
【００３３】
ここで、ベース部８０には、図９に示すように、スロット部７６，７７，７８にそれぞれ対応する位置に、３つの爪形状の基板付勢部９０（付勢部）が一体に形成されている。そして、上述したようにライトガイドユニット５６Ｒをベース部８０に取り付けた時、３つの基板付勢部９０は、基板部６１の後端面６１ｂに押しのけられて、弾性的に撓む。この時に基板付勢部９０に発生する復元力の一部が、ＬＥＤ基板６０の長手方向に交差する付勢方向である矢印Ａ方向にＬＥＤ基板６０を付勢する付勢力として働く。この付勢力により、ＬＥＤ基板６０は、複数のＬＥＤ６２がライトガイド７０の入射面７４に当接するまで、スロット部７６，７７，７８に向けて矢印Ａ方向へ変位する。即ち、基板付勢部９０の付勢力によって、ＬＥＤ基板６０のライトガイド７０に対するｙ方向（副走査方向）の変位が規制される。
【００３４】
上述のように、ＬＥＤ基板６０はライトガイド７０に対して位置決めされる。同時に、ライトガイドユニット５６Ｒはベース部８０に対して位置決めされて、ライトガイド７０とＬＥＤ基板６０とを含むライトガイドユニット５６Ｒは、ベース部８０へのＵＶ接着により固定される。同様にして、ライトガイドユニット５６Ｌも、ベース部８０に対して固定される。
【００３５】
以上説明したように、ＬＥＤ基板６０は、ベース部８０に一体に設けられる基板付勢部９０によって、ライトガイド７０のスロット部７６，７７，７８に付勢される。このため、ＬＥＤ基板６０とライトガイド７０との間のガタが低減され、複数のＬＥＤ６２とライトガイド７０との位置決め精度を向上することができる。また、複数のＬＥＤ６２は、ライトガイド７０の入射面７４に当接した状態で、基板付勢部９０によって入射面７４に近づく方向（矢印Ａ方向）に付勢されるので、振動等を受けてもＬＥＤ６２と入射面７４とが離間することが無い。このため、複数のＬＥＤ６２から出射される光のほとんどがライトガイド７０に入射し、スキャナユニット５０の光量を十分に確保することができる。
【００３６】
また、基板付勢部９０をベース部８０に一体に設け、必要最低限の部品数で、ライトガイド７０及びＬＥＤ基板６０の位置決め・保持を行うことが可能であるため、組立工数及びコストを低減することができる。また、部品数が少ないため、部品公差の積み上げによるライトガイド７０及びＬＥＤ基板６０の位置ズレによる照明不良も低減可能である。また、ライトガイド７０及びＬＥＤ基板６０の位置決め・保持のために両面テープを使用しないため、剥離紙除去や貼り付け処理等の工程の削減が可能であり、貼り付け不良によるライトガイド７０及びＬＥＤ基板６０の位置ズレも防止することができる。また、両面テープの不使用は組立工程の自動化の観点でも有利である。
【００３７】
なお、スロット部７６，７７，７８、切欠き６４ａ，６４ｂ，６４ｃ及び基板付勢部９０は、それぞれ３個ずつ設けられているが、１〜２個又は４個以上設けても良い。その場合、切欠き部に対して主走査方向に嵌合するスロット部を、主走査方向における中央部近傍に少なくとも１箇所設ける構成が望ましい。
【００３８】
＜第２の実施の形態＞
次いで、本発明の第２の実施の形態について説明するが、第２の実施の形態は、第１の実施の形態の基板付勢部をライトガイドに一体に構成したものである。このため、第１の実施の形態と同様の構成については、図示を省略、又は図に同一符号を付して説明する。
【００３９】
ライトガイド１７０（導光部）は、図１０及び図１１に示すように、スロット部１７６，１７７，１７８（保持部）を有している。これらスロット部１７６，１７７，１７８には、弾性変形可能な基板付勢部１９０ａ，１９０ｂ，１９０ｃ（付勢部）が一体に形成されている。すなわち、基板付勢部１９０ａ，１９０ｂ，１９０ｃは、ライトガイド１７０に一体に設けられている。
【００４０】
第１の実施の形態においては、図９に示すように、ＬＥＤ基板６０は、断面コ字状に形成されたスロット部７６，７７，７８の開放された一方側から挿入されたが、第２の実施の形態においては、基板付勢部１９０がＬＥＤ基板６０の挿入の邪魔になる虞がある。このため、基板付勢部１９０をスロット部７６，７７，７８から離れる方向に弾性変形させた状態でＬＥＤ基板６０を挿入してもよいが、ｘ方向（主走査方向）からＬＥＤ基板６０をスロット部７６，７７，７８に挿入してもよい。
【００４１】
そして、スロット部７６，７７，７８に挟持されたＬＥＤ基板６０は、基板付勢部１９０の付勢力によって、後端面６１ｂが矢印Ａ方向に付勢される。この付勢力により、ＬＥＤ基板６０は、複数のＬＥＤ６２がライトガイド１７０の入射面７４に当接するまで、スロット部１７６，１７７，１７８に向けて矢印Ａ方向へ変位する。即ち、基板付勢部１９０の付勢力によって、ＬＥＤ基板６０のライトガイド１７０に対するｙ方向（副走査方向）の変位が規制される。ライトガイド１７０にＬＥＤ基板６０が取り付けられた状態のライトガイドユニット１５６Ｒは、第１の実施の形態と同様にベース部（図９参照）に取り付けられる。
【００４２】
この構成によれば、ライトガイド１７０にＬＥＤ基板６０を組み付けた時点で、ＬＥＤ基板６０のライトガイド１７０に対する位置決め・保持が成立する。このため、基板付勢部１９０を弾性変形させながらライトガイドユニット１５６Ｒをベース部８０に組み付ける必要が無く、第１の実施の形態に比して、ライトガイドユニット１５６Ｒのベース部８０への組み付けがより容易となる。
【００４３】
なお、第１及び第２の実施の形態において、ライトガイドに形成されるスロット部は断面略コ字状に形成されていたが、これに限定されない。また、基板付勢部の形状も図９又は図１１に限定されない。また、第１及び第２の実施の形態では、ライトガイドユニットを２つ設けていたが、１つや３つ以上でもよい。また、画像読取装置１０３は、ＡＤＦ１を有するものに限定されず、原稿を上方から原稿台ガラス３１に押し付ける圧板のみを有するものでも良い。
【００４４】
また、既述のいずれの形態においても、電子写真方式のプリンタ１０１を用いて説明したが、本発明はこれに限定されない。例えば、ノズルからインク液を吐出させることでシートに画像を形成するインクジェット方式の画像形成装置にも本発明を適用することが可能である。
【符号の説明】
【００４５】
５４：画像読取部（ＣＣＤ）／６０：基板（ＬＥＤ基板）／６２：複数の光源（ＬＥＤ）／６４ｂ：凹部（切欠き）／７０，１７０：導光部（ライトガイド）／７４：入射面／７６，７７，７８，１７６，１７７，１７８：保持部（スロット部）／８０：支持部（ベース部）／９０，１９０：付勢部（基板付勢部）／１０１：画像形成装置／１０３：画像読取装置／１１９：画像形成部
【図１】
2018033010.tif 000003
【図２】
2018033010.tif 000004
【図３】
2018033010.tif 000005
【図４】
2018033010.tif 000006
【図５】
2018033010.tif 000007
【図６】
2018033010.tif 000008
【図７】
2018033010.tif 000009
【図８】
2018033010.tif 000010
【図９】
2018033010.tif 000011
【図１０】
2018033010.tif 000012
【図１１】
2018033010.tif 000013